(57)【要約】【課題】セルフ型サーボライト方法において、サーボデータの記録品質不良を未然に抑制し、結果として記録品質の良好なサーボデータを記録することができるサーボライト方法を提供することにある。【解決手段】セルフ型サーボライト方法において、ディスク媒体１１上に全範囲にサーボデータを記録完了した後に、サーボライト方向を切換えて、ディスク媒体１１上の中周領域までの範囲に、サーボデータを再記録して記録品質の悪化したサーボデータを修正するサーボライト方法である。【選択図】      図１
2005346766.tif 000002
【特許請求の範囲】
【請求項１】
ディスク媒体、リードヘッドとライトヘッドとが分離して設けられたヘッド及び当該ヘッドを搭載するロータリ型アクチュエータを有する磁気ディスク装置のセルフ型サーボライト方法であって、
前記リードヘッドにより前記ディスク媒体上から読み込まれたサーボデータを使用して、
前記ロータリ型アクチュエータを移動制御することで前記ライトヘッドを位置決めするステップと、
前記ディスク媒体上の最内周領域から最外周領域までの全範囲に、前記ライトヘッドによりサーボデータを記録するステップと、
前記全範囲での前記サーボデータの記録完了後に、前記ロータリ型アクチュエータを移動制御して前記ライトヘッドを位置決めし、前記ディスク媒体上の指定された範囲に、前記ライトヘッドにより前記サーボデータを再記録するステップと
を備えたサーボライト方法。
【請求項２】
前記再記録するステップでは、前記指定された範囲として、前記ディスク媒体上の最外周領域または最内周領域から中周領域までの範囲とすることを特徴とする請求項１に記載のサーボライト方法。
【請求項３】
前記ディスク媒体上の最内周領域に記録された基準サーボデータを前記リードヘッドにより読み込み、
前記ライトヘッドの最初の位置決め時に、前記基準サーボデータを使用して前記ロータリ型アクチュエータを移動制御することを特徴とする請求項１に記載のサーボライト方法。
【請求項４】
前記ライトヘッドを位置決めするステップでは、前記ロータリ型アクチュエータを前記ディスク媒体の最内周領域から外周領域の方向に移動制御しながら前記ライトヘッドを位置決めし、
前記再記録するステップでは、前記全範囲での前記サーボデータの記録完了後に、前記ロータリ型アクチュエータを前記ディスク媒体の最外周領域から中周領域まで移動制御しながら前記ライトヘッドを位置決めし、前記指定された範囲として当該最外周領域から中周領域までの範囲に前記サーボデータを再記録することを特徴とする請求項１または請求項３のいずれか１項に記載のサーボライト方法。
【請求項５】
前記ディスク媒体上の最内周領域に記録された基準サーボデータを前記リードヘッドにより読み込むステップを有し、
前記ライトヘッドを位置決めするステップでは、前記ディスク媒体上の最内周領域から最外周領域の方向に前記ロータリ型アクチュエータを移動制御し、
前記サーボデータを記録するステップでは、前記ディスク媒体上の指定された前記最内周領域から前記最外周領域の全範囲に前記サーボデータを記録し、
前記サーボデータを再記録するステップでは、前記全範囲での前記サーボデータの記録完了後に、前記ディスク媒体の最外周領域から内周方向に前記ロータリ型アクチュエータを移動制御し、前記ライトヘッドにより指定の範囲に前記サーボデータを再記録することを特徴とする請求項１に記載のサーボライト方法。
【請求項６】
垂直磁気記録方式の前記磁気ディスク装置に適用するセルフ型サーボライト動作を実行することを特徴とする請求項１から請求項５のいずれか１項に記載のサーボライト方法。
【請求項７】
データを記録するためのディスク媒体と、
リードヘッドとライトヘッドとが分離して設けられたヘッドを搭載し、前記ディスク媒体上の半径方向に移動するロータリ型アクチュエータと、
サーボライト動作時に、前記リードヘッドにより読み込まれたサーボデータを使用して前記ロータリ型アクチュエータを移動制御することで前記ライトヘッドを位置決めし、前記ライトヘッドにより前記ディスク媒体上の最内周領域から最外周領域までの全範囲に対してサーボデータを記録する第１のサーボライト手段と、
前記第１のサーボライト手段により前記全範囲での前記サーボデータの記録完了後に、前記ロータリ型アクチュエータを移動制御し、前記ディスク媒体上の指定された範囲に、前記ライトヘッドにより前記サーボデータを再記録する第２のサーボライト手段と
を具備したことを特徴とする磁気ディスク装置。
【請求項８】
前記第２のサーボライト手段は、前記指定された範囲として、前記ディスク媒体上の最外周領域または最内周領域から中周領域までの範囲に前記サーボデータを再記録することを特徴とする請求項７に記載の磁気ディスク装置。
【請求項９】
前記ディスク媒体は、最内周領域に基準サーボデータが記録されており、
前記第１のサーボライト手段は、前記ライトヘッドの最初の位置決め時に、前記リードヘッドにより読み込まれた前記基準サーボデータを使用して前記ロータリ型アクチュエータを移動制御し、
前記第２のサーボライト手段は、前記指定された範囲として、前記ディスク媒体上の最外周領域から中周領域までの範囲に前記サーボデータを再記録することを特徴とする請求項７に記載の磁気ディスク装置。
【請求項１０】
前記ヘッドは、前記ライトヘッドとして前記ディスク媒体上に垂直磁気記録方式によりデータを記録する単磁極型ライトヘッドを有することを特徴とする請求項７から請求項９のいずれか１項に記載の磁気ディスク装置。
【発明の詳細な説明】
【技術分野】
【０００１】
本発明は、一般的には磁気ディスク装置のセルフ型サーボライト方法に関し、特に、垂直磁気記録方式の磁気ディスク装置に適用するセルフ型サーボライト方法に関する。
【背景技術】
【０００２】
近年、ハードディスクドライブとも呼ばれる磁気ディスク装置（以下単にディスクドライブと表記する）では、ディスク媒体上の半径方向に回動するロータリ型アクチュエータが使用されている。ロータリ型アクチュエータの先端部には、ライトヘッド（記録素子）とリードヘッド（再生素子）とが分離して実装された磁気ヘッドが搭載されている。
【０００３】
ライトヘッドとリードヘッド間には、ディスク媒体の半径方向（トラック方向）に、例えば数十トラック分程度の間隔（オフセット）がある。ディスクドライブでは、ディスク媒体上にサーボデータが記録されており、当該サーボデータを使用してヘッド位置決め制御（サーボ制御）が実行される。サーボデータは、リードヘッドにより読み込まれて、サーボ制御に使用される。
【０００４】
ディスクドライブの製造工程では、内部に組み込まれるディスク媒体上に、サーボデータを記録するサーボライト工程がある。サーボライト工程で利用されるサーボライト方法としては、大別して、専用のサーボトラックライタを使用する方法と、製造対象のディスクドライブのヘッドを使用するセルフ型（または自立型）サーボライト方法とが周知である。
【０００５】
セルフ型サーボライト方法は、相対的に高価でかつ多数台のサーボトラックライタを必要とする方法と比較して、相対的に低コストで効率的なサーボライト工程を実現できるため、技術開発が推進されている（例えば、特許文献１，２を参照）
【特許文献１】特許第３０８３７４７号公報
【特許文献２】特許第３２３８０５７号公報
【発明の開示】
【発明が解決しようとする課題】
【０００６】
セルフ型サーボライト方法では、ディスクドライブに組み込まれたロータリ型アクチュエータに搭載されたヘッドのライトヘッドにより、ディスク媒体上の全周に渡ってサーボデータが記録される。但し、通常では、セクタサーボ方式が採用されているため、サーボデータは、ディスク媒体上に構成される各データトラックに一定の間隔を以って記録される。
【０００７】
ところで、ロータリ型アクチュエータ及びヘッドの構造に関係して、ディスク媒体上にサーボデータを記録するときに、ライトヘッドにはスキュ角と呼ぶ傾きが発生するため、サーボデータの磁化転移は全周に渡ってスキュ角分だけ傾いて記録される。特に、垂直磁気記録方式のディスクドライブでは、ライトヘッドとして単磁極型ヘッドが使用されるため、サーボデータの傾き状態が顕著となる。
【０００８】
一般的に、サーボライト工程では、ディスク媒体上の最内周領域から最外周領域の方向にロータリ型アクチュエータを移動制御しながら、ライトヘッドによりサーボデータが記録される。この場合、特に、ディスク媒体上の中周領域から最外周領域の範囲で、サーボデータの磁化転移の傾きが大きくなり、記録品質の悪化したサーボデータ領域が発生する。
【０００９】
このようなサーボデータの記録品質不良を防ぐための有効な技術として、両方向サーボライト方法が周知である。この方法は、ディスク媒体上のスキュ角がほぼ０となる最内周領域から中周領域近傍までサーボデータを記録した後に、一度、ヘッドを最外周領域まで移動させて、最外周領域から中周領域近傍までサーボデータを記録する。
【００１０】
しかしながら、両方向サーボライト方法は、中周領域に最大で数トラック分の記録品質が悪化したサーボデータが発生する。また、両方向サーボライト方法は、ヘッド位置を制御するための専用のサーボトラックライタを必要とし、セルフ型サーボライト方法には適用できない。
【００１１】
そこで、本発明の目的は、セルフ型サーボライト方法において、サーボデータの記録品質不良を未然に抑制し、結果として記録品質の良好なサーボデータを記録することができるサーボライト方法を提供することにある。
【課題を解決するための手段】
【００１２】
本発明の観点は、セルフ型サーボライト方法において、サーボデータの再記録動作を実行することにより、記録品質が悪化したサーボデータを書き換える方法である。
【００１３】
本発明の観点に従ったサーボライト方法は、ディスク媒体、リードヘッドとライトヘッドとが分離して設けられたヘッド及び当該ヘッドを搭載するロータリ型アクチュエータを有する磁気ディスク装置のセルフ型サーボライト方法であって、前記リードヘッドにより前記ディスク媒体上から読み込まれたサーボデータを使用して、前記ロータリ型アクチュエータを移動制御することで前記ライトヘッドを位置決めするステップと、前記ディスク媒体上の最内周領域から最外周領域までの全範囲に、前記ライトヘッドによりサーボデータを記録するステップと、前記全範囲での前記サーボデータの記録完了後に、前記ロータリ型アクチュエータを移動制御して前記ライトヘッドを位置決めし、前記ディスク媒体上の指定された範囲に、前記ライトヘッドにより前記サーボデータを再記録するステップとを備えた構成である。
【発明の効果】
【００１４】
本発明によれば、ヘッドのスキュ角に従って傾いて記録されるサーボデータを書き換えることにより、結果として記録品質の良好なサーボデータを記録することができるサーボライト方法を提供できる。
【発明を実施するための最良の形態】
【００１５】
以下図面を参照して、本発明の実施形態を説明する。
【００１６】
（ディスクドライブの構成）
本実施形態のディスクドライブは、図２に示すように、ドライブ筐体１０の内部に、ディスク媒体１１、ロータリ型アクチュエータ１３、及び回路基板１６が組み込まれている。本実施形態のディスクドライブは、製品出荷前で、後述するセルフ型サーボライト方法によるサーボライト工程でサーボデータ１００が記録完了または記録される前の状態を想定している。
【００１７】
ディスク媒体１１は、スピンドルモータ１２により高速回転されている。ディスク媒体１１は、垂直磁気記録可能な磁気記録媒体である。ディスク媒体１１は、ドライブ筐体１０に組み込まれる前に、予め最内周領域に基準サーボデータ（またはシードサーボデータ：seed servo dataとも呼ばれる）１００Ｒが記録されている。
【００１８】
ロータリ型アクチュエータ１３は、先端部に磁気ヘッド（以下単にヘッドと呼ぶ）１５を搭載し、ボイスコイルモータ（ＶＣＭ）１４の駆動力によりディスク媒体１１上の半径方向に回動する。即ち、ディスクドライブは、ロータリ型アクチュエータ１３を移動制御することにより、ヘッド１５をディスク媒体１１上の最内周領域から最外周領域の範囲まで移動させることができる。
【００１９】
ヘッド１５は、図３に示すように、サーボデータなどのデータを読出すリードヘッド１５Ｒと、サーボデータなどのデータを書き込むライトヘッド１５Ｗとが分離して、同一のスライダ上に実装されている構造である。本実施形態のライトヘッド１５Ｗは、ディスク媒体１１に対して、垂直磁気記録の可能な単磁極型ヘッドである。また、リードヘッド１５Ｒとライトヘッド１５Ｗ間には、ディスク媒体１１上での半径方向（トラック方向）に、例えば数十トラック分の間隔（オフセット）がある。
【００２０】
回路基板１６には、リードヘッド１５Ｒから出力されるリード信号（サーボデータなど）を増幅したり、またライトヘッド１５Ｗに対してライト信号（サーボデータなど）を送信するためのヘッドアンプ回路などが実装されている。
【００２１】
（サーボライト動作）
以下、図２に示すようなディスクドライブにおいて、内部に組み込まれたアクチュエータ１３を移動制御して、当該アクチュエータ１３に搭載されたヘッド１５を使用することで、ディスク媒体１１にサーボデータ１００を記録するセルフ型サーボライト動作を説明する。
【００２２】
図１は、本実施形態のサーボライト方法を説明するためのロータリ型アクチュエータ１３、即ちヘッド１５の移動軌跡を示す図である。また、図９は、同サーボライト方法の手順を説明するためのフローチャートである。
【００２３】
先ず、図１に示すように、サーボライト動作の初期時に、アクチュエータ１３をディスク媒体１１上の最内周領域に位置決めし、当該アクチュエータ１３（位置１３Ａ）を最外周領域の方向（２００Ａ）に移動させる。ディスクドライブのコントローラは、ヘッド１５のリードヘッド１５Ｒにより、ディスク媒体１１上の最内周領域に予め記録された基準サーボデータ（シードサーボデータ）１００Ｒを読み込む（ステップＳ１）。ここで、コントローラとは、通常では、ディスクドライブの内部または外部に設けられたマイクロプロセッサ（ＣＰＵ）、及び当該ＣＰＵがセルフ型サーボライト動作を実行するためのソフトウェアを意味する。
【００２４】
コントローラは、図３に示すように、リードヘッド１５Ｒにより読み込まれた基準サーボデータ１００Ｒに従って、アクチュエータ１３を移動制御することでライトヘッド１５Ｗを最内周領域の指定位置に位置決めする（ステップＳ２）。図３において、符号２００Ａは、ディスク媒体１１上の内周領域から外周領域に、アクチュエータ１３が移動する方向を示す。また、符号３００は、ディスク媒体１１の回転方向を示す。
【００２５】
ここで、当該指定位置が、ユーザデータをするためのデータトラック群の中で、最内周領域に含まれるデータトラックが構成される位置となる。従って、製品出荷後に、基準サーボデータ１００Ｒは、ディスク媒体１１上にそのまま残存または削除されることになる。
【００２６】
コントローラは、位置決めしたライトヘッド１５Ｗにより、サーボデータ１００Ｗを書き込み、記録する（ステップＳ３）。このサーボデータ１００Ｗは、基準サーボデータ１００Ｒのコピーデータまたは外部から供給される書き込み用サーボデータである。
【００２７】
コントローラは、アクチュエータ１３を移動制御して、ヘッド１５を外周方向２００Ａに走行させながら、前記と同様にライトヘッド１５Ｗによりサーボデータ１００Ｗを記録する（ステップＳ４）。このような動作を、ディスク媒体１１の最外周領域にサーボデータ１００Ｗを記録するまで繰り返す（ステップＳ５）。
【００２８】
ここで、アクチュエータ１３が外周方向に移動するときには、リードヘッド１５Ｒは、基準サーボデータ１００Ｒが記録されていない領域に移動する。コントローラは、既にライトヘッド１５Ｗにより書き込まれたサーボデータ１００Ｗをリードヘッド１５Ｒにより読み込み、アクチュエータ１３の移動制御（ヘッド位置決め制御）に使用する。
【００２９】
以上のようにして、アクチュエータ１３がディスク媒体１１の最内周領域の位置１３Ａから最外周領域の位置１３Ｂまで移動しながら、ディスク媒体１１の全範囲（ユーザを記録する有効記録範囲）にサーボデータ１００Ｗを記録する。なお、本実施形態のディスクドライブは、セクタサーボ方式であるため、サーボデータ１００Ｗは周方向に一定の間隔を以って記録されている。
【００３０】
次に、本実施形態のサーボライト方法では、図１に示すように、コントローラは、アクチュエータ１３をディスク媒体１１の最外周領域の位置１３Ｂから内周方向（２００Ｂ）に移動させながら、ほぼ中周領域（サーボデータ１００Ｍが記録された領域とする）までの範囲に、ライトヘッド１５Ｗによりサーボデータの再書込み（再記録）を実行する（ステップＳ６からＳ８）。以下、この再書き込み動作について、図１及び図９と共に図４から図８を参照して説明する。
【００３１】
ロータリ型アクチュエータ１３では、図１に示すように、当該アクチュエータ１３がディスク媒体１１上の最内周領域に位置する場合（１３Ａ）、及び最外周領域に位置する場合（１３Ｂ）には、ヘッド１５のスキュ角が発生する。このスキュ角とは、ヘッド１５と、ディスク媒体１１上に構成されるデータトラックとの相対角である。データトラックとは、記録されたサーボデータ（サーボトラックと呼ぶことがある）に基づいて、データが記録されたときに構成されるトラックである。
【００３２】
アクチュエータ１３がディスク媒体１１の中周領域に位置する場合、スキュ角は略０度である。一方、アクチュエータ１３が最内周領域または最外周領域に位置する場合、スキュ角の絶対値は略１０度となる。ここでは、外周領域でのスキュ角を正（＋θ）とし、内周領域でのスキュ角を負（−θ）とする。
【００３３】
図４は、スキュ角が略０度の場合において、ヘッド１５（ライトヘッド１５Ｗとする）とデータトラックとの関係を示す。一般的に、隣接データトラックに対する影響を除去するため、ライトヘッド１５Ｗ及びリードヘッド１５Ｒのいずれのヘッド幅もトラックピッチＴＰよりも狭く設計されて、データトラック間にはトラックマージンＴＭも設けられている。スキュ角が略０度の場合には、ライトヘッド１５Ｗにより記録される磁化転移は、データトラックに対して直角である。このため、ヘッド１５により記録または再生される信号品質は良好であると共に、隣接データトラックへの干渉も少ない。
【００３４】
一方、スキュ角の絶対値が略１０度の場合には、図５に示すように、ライトヘッド１５Ｗが傾いた状態で記録するため、データトラックの磁化転移５００も１０度傾くことになる。この場合、リードヘッド１５Ｒも同様に傾くため、当該データトラックに対する記録または再生される信号品質は確保できる。
【００３５】
但し、図５に示すように、ライトヘッド１５Ｗの一部がトラックサイドに位相のずれた記録を行なう。特に、垂直磁気記録方式の単磁極型ヘッドは、素子全面で記録を行なうため、当該スキュ角による影響が大きくなる。このような場合、データトラックのマージンＴＭが少ないと、隣接トラックのエッジにデータを上書き（オーバーライト）する可能性が高くなる。
【００３６】
ここで、ディスクドライブでは、前述したように、ディスク媒体１１上に記録したサーボデータを再生して、データトラックに対するヘッド１５の位置決めを行なう。このため、サーボデータは、データトラックよりも小さいピッチ（例えばデータトラックの１／２、１／３など）で記録される。この場合、ライトヘッド１５Ｗのヘッド幅はサーボトラックよりも広いため、重ね書きすることでサーボデータを記録している。従って、記録されたサーボデータからなるサーボトラックには、トラックマージンを作ることはできない。
【００３７】
図６は、ディスク媒体１１の内周領域でのサーボデータの記録状態を示す。このとき、ライトヘッド１５Ｗのスキュ角は略−１０度である。前述したように、ライトヘッド１５Ｗは、内周領域から外周領域の方向２００Ａに移動しながら、サーボデータを上書き記録している。
【００３８】
図６では、（ｎ）シリンダに対応する領域にサーボトラック１００（ｎ）のサーボデータが記録されている。ここで、ライトヘッド１５Ｗがはみ出すため、隣接する（ｎ＋１）シリンダに対応する領域には、サーボトラック１００（ｎ）のサーボデータが記録される。しかし、当該サーボデータ（１００ｎ）の書き込みが完了すると、領域（ｎ＋１）にはサーボトラック１００（ｎ＋１）のサーボデータが上書きされるため問題ない。
【００３９】
一方、ヘッド１５の走行方向２００Ａが同じで、外周領域にサーボデータを記録する場合には、ライトヘッド１５Ｗのスキュ角θは略＋１０度となる。この場合、図７に示すように、ライトヘッド１５Ｗの一部７００が、既に記録済みのサーボトラック１００（ｎ−１）上にはみ出し、サーボトラック１００（ｎ）をオーバーライトしてしまう。
【００４０】
即ち、サーボトラックはトラックマージンがないため、はみ出したライトヘッド１５Ｗは、サーボトラック１００（ｎ−１）のエッジに、サーボデータ（１００ｎ）をノイズとして記録することになる。特に、垂直磁気記録方式の単磁極型ヘッドは、記録面が広いため、当該ノイズの影響が顕著となる。このとき、サーボトラック１００（ｎ＋１）に記録されるサーボデータ（１００ｎ）は、図６の場合と同様に、サーボトラック１００（ｎ＋１）のサーボデータが上書きされるため、ノイズの問題は発生しない。
【００４１】
ここで、図６及び図７は、磁化転移のトラックピッチに対する傾きが異なる。即ち、図６の場合には、サーボデータの磁化転移は、外周領域及び内周領域のそれぞれとも中周側が遅れるように形成される。一方、図７の場合には、サーボデータの磁化転移は、逆に中周側が進むように形成される。
【００４２】
要するに、最内周領域から外周領域の方向にサーボデータを書き込むと、スキュ角がほぼ０の中周領域までは、隣接トラックには該当のサーボデータがオーバーライトされるため、ノイズの問題はない。しかしながら、中周領域から最外周領域までの範囲では、前記のように、サーボデータが記録されたサーボトラックの一部には、ノイズとなるサーボデータがオーバーライトされて、そのまま残存することになる。従って、結果として中周領域から最外周領域までの範囲には、記録品質の悪化したサーボトラックが存在することになる。
【００４３】
そこで、本実施形態のサーボライト方法は、サーボデータの再書込み（再記録）動作を実行する。これにより、中周領域から最外周領域までの範囲において、ノイズが含まれている記録品質の悪化したサーボデータを修正（補正）して、記録品質を改善する。
【００４４】
以下、図１と図９のフローチャートと共に図８を参照して、サーボデータの再書込み動作を説明する。
【００４５】
コントローラは、図１に示すように、最外周領域までサーボデータを記録すると、サーボライト方向を切換えて、アクチュエータ１３を内周方向（２００Ｂ）に移動させる（ステップＳ６）。そして、コントローラは、ライトヘッド１５Ｗにより、最外周領域から中周領域までサーボデータを再書込みする（ステップＳ７，Ｓ８）。
【００４６】
即ち、図８に示すように、スキュ角θが略＋１０度のライトヘッド１５Ｗにより、既に全範囲に記録されたサーボデータに上書きしていく。これにより、図７に示すように、ノイズを含むオーバーライト部分７００は、正常なサーボデータが上書きされて、当該ノイズ部分は消去される。
【００４７】
このとき、スキュ角θのために、ライトヘッド１５Ｗの一部７００が、内周方向の隣接サーボトラック上にはみ出すが、当該隣接サーボトラックのサーボデータをオーバーライトするため、ノイズの問題は発生しない。
【００４８】
以上のように、スキュ角θがほぼ０度である中周領域までサーボデータの再記録を行なうことにより、最外周領域から中周領域までの範囲を、ノイズ部分を消去した記録品質の良好なサーボデータに修正することができる。従って、相対的に生産性の高いセルフ型サーボライト方法により、記録品質の良好なサーボデータをディスク媒体上に記録するサーボライト工程を実現できる。
【００４９】
なお、リードヘッド１１Ｒが最外周領域から中周領域までの範囲から記録品質の悪化したサーボデータの部分を読出すことになるが、振動や温湿度環境などの外乱影響をできるかぎり取り除くことで、一定レベル以上のヘッド位置決め精度を確保することは可能である。
【００５０】
（他の実施形態）
本実施形態は、セルフ型サーボライト方法において、ディスク媒体１１上の最内周領域に予め記録された基準サーボデータ（シードサーボデータ）１００Ｒを使用して、最内周領域から最外周領域の全範囲のサーボデータの記録完了後に、再記録動作を実行する方法である。
【００５１】
これに対して、他の本実施形態として、ディスク媒体１１上の最外周領域に予め記録された基準サーボデータ（シードサーボデータ）を使用して、最外周領域から最内周領域の全範囲のサーボデータの記録完了後に、再記録動作を実行する方法でもよい。但し、当然ながら、再記録動作では、最内周領域から中周領域までの範囲に、サーボデータの再書込み動作が実行される。
【００５２】
また、ディスク媒体１１上に予め記録する基準サーボデータを使用することなく、最初からディスク媒体１１上にサーボデータを記録する、いわば完全セルフ型サーボライト方法に、本実施形態の再記録（再書込み）動作を実行してもよい。
【００５３】
さらに、セルフ型サーボライト方法により、ディスク媒体１１上の全範囲にサーボデータを記録した場合に、予測可能な記録品質の悪化する範囲を、指定範囲としてサーボデータの再記録動作を選択的に実行させてもよい。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５５】
【図１】本発明の実施形態に関するサーボライト方法を説明するための図。
【図２】本実施形態に関するディスクドライブの構成を示す図。
【図３】本実施形態に関するリードヘッドとライトヘッドの位置関係を説明するための図。
【図４】本実施形態に関するヘッドとデータトラックとの関係を説明するための図。
【図５】本実施形態に関するデータトラックでのスキュ角による影響を説明するための図。
【図６】本実施形態に関する内周領域でのスキュ角による影響を説明するための図。
【図７】本実施形態に関する外周領域でのスキュ角による影響を説明するための図。
【図８】本実施形態に関する再書込み動作を説明するための図。
【図９】本実施形態に関するサーボライト方法の手順を説明するためのフローチャート。
【符号の説明】
【００５６】
１０…ドライブ筐体、１１…ディスク媒体、１２…スピンドルモータ、
１３…ロータリ型アクチュエータ、１４…ボイスコイルモータ、１５…磁気ヘッド、
１５Ｒ…リードヘッド、１５Ｗ…ライトヘッド、
１００Ｒ…基準サーボデータ（シードサーボデータ）。
【図１】
2005346766.tif 000003
【図２】
2005346766.tif 000004
【図３】
2005346766.tif 000005
【図４】
2005346766.tif 000006
【図５】
2005346766.tif 000007
【図６】
2005346766.tif 000008
【図７】
2005346766.tif 000009
【図８】
2005346766.tif 000010
【図９】
2005346766.tif 000011